(57)【要約】【課題】登山時等の電源を確保する際に、ザックの選択肢が限定されず、またザックの設計における制約が解消され、しかも該電源が登山等に際し携帯する新たな備品とならない様にする。【解決手段】ザックカバー１は防水性の素材からなる開口部２を有する袋状であり、該開口部２の枠縁に挿通した紐により、開口部２を広げてザックを該ザックカバー１内に収納し、紐を緊締することで該ザックカバー１と該ザックとを固定できる。更に、ザックカバー１において開口部２の無い背面外側に太陽電池８を種々の方法により取り付ける。これら背面外側に取り付けた太陽電池８を、ザックカバー１の背面に孔を開け内側からリード線９により接続し、その端部に出力端子１０を設けて太陽電池の外部出力手段を形成する。【選択図】図１
2016112354.tif 000002
【特許請求の範囲】
【請求項１】
太陽電池を備え、該太陽電池は外部出力手段を有することを特徴とする、防水性ザックカバー。
【請求項２】
前記防水性ザックカバーは更に二次電池収納部を備えることを特徴とする請求項１に記載の防水性ザックカバー。
【発明の詳細な説明】
【技術分野】
【０００１】
本発明は、登山等に使用されるザック用の防水性ザックカバーに関するものである。
【背景技術】
【０００２】
登山は手軽な健康増進手段の一つとして、老若男女を問わず人気を博している。近年は、若年層の登山者を指す「山ガール」、「山ボーイ」なる呼称も生まれ、ファッション性等を考慮した多種多様な登山用品が市場を賑わすようになった。例えば、荷物を収納するための登山用ザックは、収納性や耐久性等の機能だけでなく、シンプルなものや派手なもの、カジュアルなもの等、デザインの選択肢が豊富である。
【０００３】
他方、安全な登山には、平地とは異なる山の環境・気候に対応できる適切な装備の選択が重要である。不必要な携行品はザックの重量を増すだけでなく、必要な装備の出し入れの妨げとなりかねない。ここで、防水性のザックカバーは収納時には折り畳めるため邪魔にならず、荷物を雨から保護する手段として必携品とされている。
【０００４】
一方で、デジタルカメラやハンディカム、スマートホン等の電子機器は、軽量化とバッテリーの高容量化に伴い、登山中の撮影・記録用品として持参する登山者も多い。特にスマートホンはGPSを兼ね備える機種もあり、遭難時等にも自分の位置情報の取得が可能である。しかし、これら電子機器は電池切れを起こした場合に使用できず、充電しようにも山中では電源の確保も困難である。このような需要に応じ、登山時等の電源として、特許文献１は太陽電池付きザックを提案している。
【先行技術文献】
【特許文献】
【０００５】
【特許文献１】特開2014-036795号公報
【発明の概要】
【発明が解決しようとする課題】
【０００６】
しかしながら、特許文献１に示されるものは太陽電池を着脱可能に取り付ける手段を要し、ザック側にポケット又はファスナー、あるいはボタンの様な嵌合部材等を設ける必要があった。このため使用できるザックの選択肢は、専用の着脱手段を有する物に限定され、気に入ったザックを使うことができなかった。また専用のザック自体も、外側へ物を入れる収納ポケットを設けるなどの設計に著しく制約を受けてしまう。
【０００７】
そこで本発明は、登山時等の電源を確保する際に、ザックの選択肢が限定されず、またザックの設計における制約が解消され、しかも該電源が登山等に際し携帯する新たな備品とならない様にすることを目的とする。
【課題を解決するための手段】
【０００８】
本発明は、防水性のザックカバーに太陽電池とその外部出力端子を取り付けたものである。
【０００９】
更に、前記ザックカバーには該太陽電池により充電される二次電池の収納部を設けても良い。
【００１０】
この様に、ザックカバーに太陽電池とその外部出力端子を取り付けることで、ザックの設計を自由にできると共に、登山時等に通常備品としてザックカバーを携帯するだけで、簡単に電源を確保でき、またザックカバーに収まる種々のザックに使用できるので、ザックの選択肢が制限されることもない。更に、デジタルカメラやハンディカム、スマートホン等の電子機器に用いられている二次電池の収納部を設けることで、これら電子機器の充電を簡単にできる。
【発明の効果】
【００１１】
以上の通り、本発明によれば、ザックカバーに太陽電池を取り付けたので、ザックの設計を自由にできると共に、ザックがザックカバーに収まる大きさであれば、ザックの種類を問わずに取り付けられる。また必携品のザックカバーに一体化することで、携行品の点数を増やさずに電源としての太陽電池を持参できる。更に二次電池の収納部を備えることによって、電子機器の充電を簡単にできる。
【図面の簡単な説明】
【００１２】
【図１】本発明の実施形態のザックカバーを示し、（ａ）は正面図、（ｂ）は背面図である。
【図２】ザックカバーの開口部を狭窄する実施形態を示した図である。
【図３】本発明の実施形態において、使用可能な防水コネクタを示し、（ａ）は平面図、（ｂ）は側面図である。
【図４】本発明の実施形態において、使用可能なキャップ付きの防水コネクタを示し、（ａ）はキャップを外した状態、（ｂ）はキャップを装着した状態である。
【図５】本発明の他の実施形態のザックカバーを示し、（ａ）は正面図、（ｂ）は背面図である。
【図６】登山用のザックを示した正面図である。
【図７】本発明のザックカバーを登山用のザックに取り付けた状態を示した図で、（ａ）は正面図、（ｂ）は背面図である。
【発明を実施するための形態】
【００１３】
以下に図面を参照しながら、本発明の実施の形態について詳細に説明する。
【００１４】
図１は本発明の実施形態のザックカバー１を示し、（ａ）は正面図、（ｂ）は背面図である。ザックカバー１は防水性の素材からなり、図１（ａ）に示す通り従来周知の縫製方法により開口部２を有する袋状をなし、該開口部２の枠縁には紐通し部３を設け、ゴム紐等の伸縮性の紐を該紐通し部３に伸縮自在に取り付けることにより、該開口部２を広げてザックを該ザックカバー１内に収納し、伸縮性の紐を縮ませることにより該ザックカバー１と該ザックとを固定できる。ここで該伸縮性の紐はその両端を結合させて環状に形成しても良いし、又は図２に示したように、夫々を遊端として紐通し部３に設けた孔５を挿通して取り出しこれをスライド式の留め具６に挿通することで、該留め具６を介して該伸縮性の紐４を引き出し所定の位置に留め具６を留めることで開口部２を狭窄し、ザックカバー１をザックに固定するようにしても良い。なお、符号７は伸縮性の紐４の端部に抜け止め状態で装着された紐端部装着具である。
【００１５】
そして、図１（ｂ）に示す様に、このようなザックカバー１の開口部２の無い背面外側に太陽電池８を４個取り付けた。この太陽電池８は、従来周知のシリコン半導体結晶からなる板状の電池、又はアモルファスシリコンを用いた可撓性のシート型電池等を用いることができる。
【００１６】
該太陽電池８とザックカバー１とは、接着剤で接着しても良いし、縫い付けても良い。またはザックカバー１の表面にポケット部を設け、そのポケットに収納しても良く、要はザックカバー１に太陽電池８を備えれば良い。太陽電池８の外装とザックカバー１の表面素材とに適切な材料を選べば、従来周知の方法により熱融着することもできる。なお、太陽電池８は透明な防水カバーで覆っても良い。
【００１７】
これら背面外側に取り付けた４個の太陽電池８をザックカバー１の背面に孔を開け内側からリード線９により直列に接続し、その端部に出力端子１０を設けて太陽電池の外部出力手段を形成した。なお、リード線９を通した孔は防水性のシール剤により塞いだ。また、太陽電池８は並列に接続しても良い。
【００１８】
この様にして太陽電池８により発電した電力は、出力端子１０と太陽電池８とをリード線９にて接続することで、外部に取り出すことができる。更に電子機器を接続して使用する際は、動作の安定化と安全の為に、制御回路や保護回路等を介在させることが望ましい。出力端子１０の形状は特に限定されないが、USB端子やMicro USB端子、Mini USB端子、あるいは、図３の様なリード線９の先端のハウジング１１、１２内に夫々端子が形成されたコネクタ等が、電子機器の充電には好適である。図中、（ａ）は正面図、（ｂ）は側面図である。またこれらの端子の先端には、水分による漏電を防ぎ防塵効果も果たす様な、図４に示したキャップ１３が具備されていることが好ましい。図中、（ａ）はキャップを外した状態、（ｂ）はキャップを装着した状態である。
【００１９】
図５は他の実施形態のザックカバー１を示し、（ａ）は正面図、（ｂ）は背面図である。図１と同一の符号は同一の構成物を示す。この実施形態ではザックカバー１の正面内側にポケットを設けこれを二次電池収納部１４とした。出力端子と入力端子とは、夫々図３の様な防水コネクタを使用した。この様にすることで、該収納部１４内に電子機器或いは二次電池１５を収納し、出力端子側のハウジング１１と充電側のハウジング１２とを接続することで容易に充電できる。
【００２０】
上記各実施形態で説明したザックカバー１は、これに取り付けられた太陽電池８間で折り畳まれ、例えば図６に示す様なザック１６に収納され登山時に携帯することができる。そして、登山中に電子機器への充電が必要になった場合は、歩みを止め、ザック１６の中からザックカバー１を抜き出し、接続端子を電子機器に接続すると共に、ザックカバー１を太陽電池が取り付けられた面を太陽に向けて広げることで、太陽電池８により電子機器内の二次電池を充電することができる。更に、充電中も移動したい場合は、図７に示す様にザックカバー１の開口部２よりザック１６をザックカバー１内に収納し、ザック１６の肩掛けベルト１７は露出させ、ザック１６を背負い、電子機器はザック１６の中、或いはリード線９が長い場合は、身に着けている登山服のポケットなどに収納して移動しながら二次電池１５を充電できる。更に、ザックカバー１に二次電池用収納部１４を設けた場合は、この収納部１４に電子機器を収納して充電できる。そして、充電が終わればザックカバーを折り畳んでザック１６内に収納する。なお、このザックカバー１が雨天時にザック１６を保護する為に用いることができるのは当然である。
【００２１】
この様に本発明によれば、太陽電池を防水性ザックカバーに備えたので、ザックの設計を自由にできると共に、ザックが該ザックカバーに収まる大きさであれば、ザックの種類を問わずに取り付けられる。また必携品のザックカバーに一体化することで、携行品の点数を増やさずに電源としての太陽電池を持参できる。更に二次電池の収納部を備えることによって、電気機器内の二次電池の充電を簡単にできる。
【符号の説明】
【００２２】
１    ザックカバー
２    開口部
３    紐通し部
４    伸縮性の紐
８    太陽電池
９    リード線
１０  出力端子
１１  出力端子側のハウジング
１２  充電側のハウジング
１４  二次電池収納部
１５  二次電池
【図１】
2016112354.tif 000003
【図２】
2016112354.tif 000004
【図３】
2016112354.tif 000005
【図４】
2016112354.tif 000006
【図５】
2016112354.tif 000007
【図６】
2016112354.tif 000008
【図７】
2016112354.tif 000009